(57)【特許請求の範囲】
【請求項１】
放送プログラムを受信するためのチューナを備え、
前記チューナによって聴取可能な、ニュース，天気予報，および交通情報のうちの少なくとも一つを含んで構成されるリアルタイム情報を含んだ前記放送プログラムを検索する検索手段と、
前記検索手段によって検索された前記放送プログラムに関する情報を、前記放送プログラムの記録を予約するための記録開始予約キューとして記憶する記憶手段と、
記憶された前記記録開始予約キューに基づいて、前記放送プログラムを前記チューナで受信して録音する録音手段と、
前記録音手段により録音されている前記放送プログラムにおいて、前記リアルタイム情報の送出の開始を放送開始タイミングとして検出する放送開始タイミング検出手段と、
予め定められた音源を出力する音源出力手段と、
前記リアルタイム情報の送出の開始を検出したとき、前記音源出力手段から前記音源として前記放送プログラムを出力していない場合には、前記音源として前記放送プログラムが送出する前記リアルタイム情報の出力を行うリアルタイム情報出力制御手段と、
を有することを特徴とする移動体用放送受信装置。
【請求項２】
放送プログラムを受信するためのチューナを備え、
ユーザが聴取したい、ニュース，天気予報，および交通情報のうちの少なくとも一つを含んで構成されるリアルタイム情報を含んだ前記放送プログラムを指定する指定手段と、
移動体の現在位置を取得する位置取得手段と、
現在時刻を取得する時刻取得手段と、
前記現在位置および前記現在時刻において、前記指定手段によって指定された放送プログラムのうち前記チューナによって聴取可能なものを検索する検索手段と、
前記指定された放送プログラムが検索された場合、前記放送プログラムに関する情報を、前記放送プログラムの記録を予約するための記録開始予約キューとして記憶する記憶手段と、
記憶された前記記録開始予約キューに基づいて、前記放送プログラムを前記チューナで受信して録音する録音手段と、
前記録音手段により録音されている前記放送プログラムにおいて、前記リアルタイム情報の送出の開始を放送開始タイミングとして検出する放送開始タイミング検出手段と、
予め定められた音源を出力する音源出力手段と、
前記リアルタイム情報の送出の開始を検出したとき、前記音源出力手段から前記音源として前記放送プログラムを出力していない場合には、前記音源として前記放送プログラムが送出する前記リアルタイム情報の出力を行うリアルタイム情報出力制御手段と、
を有することを特徴とする移動体用放送受信装置。
【請求項３】
キーワードを入力する入力手段と、
前記放送プログラムに関する情報を取得する情報取得手段と、
前記指定手段は、前記キーワードを用いて、前記取得された情報から前記聴取したい放送プログラムを指定する請求項２に記載の移動体用放送受信装置。
【請求項４】
前記チューナを複数備え、
前記録音手段は、前記放送プログラムを録音しているときに、他のチューナを使って別の放送プログラムの録音を行うことができ、
前記音源出力手段から前記放送プログラムを出力しているときに、前記別の放送プログラムの前記放送開始タイミングが検出された場合、その旨を表示する表示手段をさらに有する請求項１ないし３のいずれか１項に記載の移動体用放送受信装置。
【請求項５】
前記放送開始タイミング検出手段は、前記放送プログラムがその送信データとしてアナログ音声データとこれに並行するデジタルデータを含む場合に、前記リアルタイム情報の送出の開始の目安となるデジタルデータを検出することにより前記放送開始タイミングを検出する請求項１ないし４のいずれか１項に記載の移動体用放送受信装置。
【請求項６】
前記放送開始タイミング検出手段は、前記放送プログラムがその送信データとしてアナログ音声データを含む場合に、前記アナログ音声データに含まれる前記リアルタイム情報の送出の開始の目安となるアナログ音声信号に基づく音声情報を検出することにより前記放送開始タイミングを検出する請求項１ないし４のいずれか１項に記載の移動体用放送受信装置。
【請求項７】
前記放送開始タイミング検出手段は、前記放送プログラムがその送信データとしてアナログ音声データと並行するデジタルデータを含むかどうかを判断するデジタルデータ検出手段と、
前記デジタルデータが存在しない場合は前記アナログ音声データに含まれる前記リアルタイム情報の送出の開始の目安となるアナログ音声信号に基づく音声情報を検出する音声情報検出手段とを含み、
前記デジタルデータを含む場合は前記リアルタイム情報の送出の開始の目安となるデジタルデータの検出により前記放送開始タイミングを検出し、前記デジタルデータを含まない場合は前記リアルタイム情報の送出の目安となる音声情報の検出により前記放送開始タイミングを検出する請求項１ないし４のいずれか１項に記載の移動体用放送受信装置。
【請求項８】
前記放送開始タイミング検出手段は、前記アナログ音声信号を音声情報として認識するための音声認識手段と、
前記音声認識手段で認識された音声情報が、予め設定されたリアルタイム情報の送出の開始の目安となる音声情報に該当するかどうかを判定する音声情報合致判定手段とを含み、
前記目安となる音声情報に該当する場合は前記放送開始タイミングを検出する請求項６または７に記載の移動体用放送受信装置。
【請求項９】
ユーザの操作により、前記放送プログラムにおける前記リアルタイム情報の送出中に、予め定められた時間だけ遡った時点からの前記放送プログラムの録音内容を、前記放送プログラムの録音を継続しながら再生させる再生指示手段を備える請求項１ないし８のいずれか１項に記載の移動体用放送受信装置。
【請求項１０】
前記放送プログラムが前記リアルタイム情報の送出を終了した放送終了タイミングを検出する放送終了タイミング検出手段を備える請求項１ないし９のいずれか１項に記載の移動体用放送受信装置。
【請求項１１】
前記放送終了タイミング検出手段は、前記放送プログラムがその送信データとしてアナログ音声データとこれに並行するデジタルデータを含む場合に、前記リアルタイム情報の送出の終了の目安となるデジタルデータを検出することにより前記放送終了タイミングを検出する請求項１０に記載の移動体用放送受信装置。
【請求項１２】
前記放送終了タイミング検出手段は、前記放送プログラムがその送信データとしてアナログ音声データを含む場合に、前記アナログ音声データに含まれる前記リアルタイム情報の送出の終了の目安となるアナログ音声信号に基づく音声情報を検出することにより前記放送終了タイミングを検出する請求項１０に記載の移動体用放送受信装置。
【請求項１３】
前記放送終了タイミング検出手段は、前記放送プログラムがその送信データとしてアナログ音声データと並行するデジタルデータを含むかどうかを判断するデジタルデータ検出手段と、
前記デジタルデータが存在しない場合は前記アナログ音声データに含まれる前記リアルタイム情報の送出の終了の目安となるアナログ音声信号に基づく音声情報を検出する音声情報検出手段とを含み、
前記デジタルデータが検出される場合は前記リアルタイム情報の送出の終了の目安となるデジタルデータの検出により前記放送終了タイミングを検出し、前記デジタルデータが存在しない場合は前記リアルタイム情報の送出の終了の目安となる音声情報の検出により前記放送終了タイミングを検出する請求項１０に記載の移動体用放送受信装置。
【請求項１４】
前記放送終了タイミング検出手段は、前記アナログ音声信号を音声情報として認識するための音声認識手段と、
前記音声認識手段で認識された音声情報が、予め設定された前記リアルタイム情報の送出の終了の目安となる音声情報に該当するかどうかを判定する音声情報合致判定手段とを含み、
前記目安となる音声情報に該当する場合は前記放送終了タイミングを検出する請求項１２または１３に記載の移動体用放送受信装置。
【請求項１５】
前記チューナを有するラジオ受信機と、オーディオプレーヤと、それらラジオ受信機とオーディオプレーヤの音源を切り替える音源切替手段とを備え、前記放送開始タイミング検出手段が前記放送開始タイミングを検出すると、前記音源切替手段が、前記音源を前記ラジオ受信機に切り替える請求項１ないし１４のいずれか１項に記載の移動体用放送受信装置。
【請求項１６】
前記チューナを有するラジオ受信機と、オーディオプレーヤと、それらラジオ受信機とオーディオプレーヤの音源を切り替える音源切替手段とを備え、前記放送終了タイミング検出手段が前記放送終了タイミングを検出すると、前記音源切替手段が、前記音源を前記オーディオプレーヤに切り替える請求項１０ないし１４のいずれか１項に記載の移動体用放送受信装置。
【請求項１７】
前記チューナを有するラジオ受信機と、オーディオプレーヤと、それらラジオ受信機とオーディオプレーヤの音源を切り替える音源切替手段と、前記現在位置および前記現在時刻を取得するナビゲーション装置とを含み、前記移動体の現在位置および現在時刻において聴取可能な放送プログラムのなかから指定された放送プログラムが前記ラジオ受信機で受信され、
前記放送開始タイミング検出手段が前記放送開始タイミングを検出すると、前記音源切替手段が、前記音源を前記ラジオ受信機に切り替える請求項２または３に記載の移動体用放送受信装置。
【発明の詳細な説明】
【技術分野】
【０００１】
本発明は、車両等の移動体に搭載される移動体用放送受信装置に関するものである。
【背景技術】
【０００２】
車両にはラジオ受信機やオーディオ・ビデオ機器が搭載され、乗員に必要な情報や娯楽を提供している。この一例として、ユーザの手動による選局操作なしに、希望のジャンルの放送プログラムを自動で次々とユーザに提供する受信機が考案されている（特許文献１参照）。これは、放送局をサーチしてユーザの希望するジャンルに一致する放送局を選択するものである。また、複数のジャンルに優先順位を付けておいて、該当する放送局を受信できない場合には優先順位の低いジャンルについて引き続き選択を継続する。なお、ジャンルの判定は本来の放送に重畳されて放送されているデジタルデータを参照して行うようになっている。
【０００３】
【特許文献１】特開２００３−１９８３９７号公報
【発明の開示】
【発明が解決しようとする課題】
【０００４】
特許文献１の例では、放送プログラムのジャンルを表す配信データが本来の放送プログラムに重畳されて放送されるような例えばＲＤＳ（Ｒａｄｉｏ  Ｄａｔａ  Ｓｙｓｔｅｍ）放送等を受信可能なラジオ受信機を対象としているため、当該ラジオ受信機以外では、上記発明の効果を得ることができないという問題がある。また、ユーザの希望するジャンルの放送に切り替わるタイミングが、本来の放送とそれに重畳されたデジタルデータとでずれる可能性があり、ユーザが知りたい情報の開始時付近や終了時付近を聴取することができない場合もある。また、デジタルデータを重畳していないアナログ放送ではユーザが知りたい情報を選び出すことができないという問題もある。
【０００５】
上記問題を背景として、本発明の課題は、リアルタイム情報を含む放送プログラムの放送開始を検出し、その放送プログラムに含まれるリアルタイム情報をユーザが聴取可能な移動体用放送受信装置を提供することにある。
【課題を解決するための手段および発明の効果】
【０００６】
上記課題を解決するための移動体用放送受信装置は、放送プログラムを受信するためのチューナを備え、チューナによって聴取可能な、ニュース，天気予報，および交通情報のうちの少なくとも一つを含んで構成されるリアルタイム情報を含んだ放送プログラムを検索する検索手段と、検索手段によって検索された放送プログラムに関する情報を、放送プログラムの記録を予約するための記録開始予約キューとして記憶する記憶手段と、記憶された記録開始予約キューに基づいて、放送プログラムをチューナで受信して録音する録音手段と、録音手段により録音されている放送プログラムにおいて、リアルタイム情報の送出の開始を放送開始タイミングとして検出する放送開始タイミング検出手段と、予め定められた音源を出力する音源出力手段と、リアルタイム情報の送出の開始を検出したとき、音源出力手段から音源として放送プログラムを出力していない場合には、音源として放送プログラムが送出するリアルタイム情報の出力を行うリアルタイム情報出力制御手段と、を有することを特徴とする。
【０００７】
上記構成によって、車両（移動体）の乗員が聴取したい放送プログラムを選び出して指定しなくても、放送プログラムを受信している際に、所定の条件（例えばキーワード）でユーザが聴取したい情報が含まれている放送プログラムを検索し、その放送プログラムの放送開始タイミングを検出することで、乗員は時間や場所を気にすることなく所望の放送プログラム（情報）を聴取することが可能となる。
【０００８】
また、上記課題を解決するための移動体用放送受信装置は、放送プログラムを受信するためのチューナを備え、ユーザが聴取したい、ニュース，天気予報，および交通情報のうちの少なくとも一つを含んで構成されるリアルタイム情報を含んだ放送プログラムを指定する指定手段と、移動体の現在位置を取得する位置取得手段と、現在時刻を取得する時刻取得手段と、現在位置および現在時刻において、指定手段によって指定された放送プログラムのうちチューナによって聴取可能なものを検索する検索手段と、指定された放送プログラムが検索された場合、放送プログラムに関する情報を、放送プログラムの記録を予約するための記録開始予約キューとして記憶する記憶手段と、記憶された記録開始予約キューに基づいて、放送プログラムをチューナで受信して録音する録音手段と、録音手段により録音されている放送プログラムにおいて、リアルタイム情報の送出の開始を放送開始タイミングとして検出する放送開始タイミング検出手段と、予め定められた音源を出力する音源出力手段と、リアルタイム情報の送出の開始を検出したとき、音源出力手段から音源として放送プログラムを出力していない場合には、音源として放送プログラムが送出するリアルタイム情報の出力を行うリアルタイム情報出力制御手段と、を有することを特徴とする。
【０００９】
上記構成によって、車両の乗員が聴取したい情報を選び出して指定することができる。また、予め指定された聴取したい放送プログラムを自動的に検索して放送する構成であるので、乗員は時間や場所を気にすることなく所望の放送プログラムを聴取することが可能となる。特に運転者は運転以外の操作負荷が増大しないので、運転に集中することができ、必要な放送プログラムを聴取することが可能となる。
【００１１】
ニュース，天気予報，交通情報といったリアルタイム性の高い情報（リアルタイム情報）は運転中および目的地到着後のいずれにおいても必要なものである。上記構成によって、これらリアルタイム情報を含む放送プログラムを漏らさず聴取可能となる。
【００１２】
また、本発明の移動体用放送受信装置は、キーワードを入力する入力手段と、放送プログラムに関する情報を取得する情報取得手段と、指定手段は、キーワードを用いて、取得された情報から聴取したい放送プログラムを指定するように構成することもできる。
【００１３】
上記構成によって、例えば「ニュース」，「天気予報」，「交通情報」といったリアルタイム情報に関連するキーワードを入力することで、放送プログラム名を調べて指定する方法に比べ、聴取したい放送プログラムを簡単に短時間で指定することができる。また、移動中あるいは移動先の地域の放送プログラム名や放送時間帯が分からない場合でも、キーワード入力により、その地域におけるリアルタイム情報を含む放送プログラムを指定することができる。
【００１４】
また、本発明の移動体用放送受信装置における放送開始タイミング検出手段は、放送プログラムがその送信データとしてアナログ音声データとこれに並行するデジタルデータを含む場合に、リアルタイム情報の送出の開始の目安となるデジタルデータを検出することにより放送開始タイミングを検出するように構成することもできる。
【００１５】
上記構成によって、デジタルデータを重畳しているアナログ放送において放送開始タイミングを検出でき、例えばリアルタイム情報を含む所望の放送プログラムを聴取することが可能となる。
【００１６】
また、本発明の移動体用放送受信装置における放送開始タイミング検出手段は、放送プログラムがその送信データとしてアナログ音声データを含む場合に、アナログ音声データに含まれるリアルタイム情報の送出の開始の目安となるアナログ音声信号に基づく音声情報を検出することにより放送開始タイミングを検出するように構成することもできる。
【００１７】
上記構成によって、従来は自動的に検出して聴取することが難しかった、アナログ音声データのみでデジタルデータを含まない放送プログラムにおいても、放送開始タイミングを検出でき、例えばリアルタイム情報を含む所望の放送プログラムを聴取することが可能となる。
【００１８】
また、本発明の移動体用放送受信装置における放送開始タイミング検出手段は、放送プログラムがその送信データとしてアナログ音声データと並行するデジタルデータを含むかどうかを判断するデジタルデータ検出手段と、デジタルデータが存在しない場合はアナログ音声データに含まれるリアルタイム情報の送出の開始の目安となるアナログ音声信号に基づく音声情報を検出する音声情報検出手段とを含み、デジタルデータを含む場合はリアルタイム情報の送出の開始の目安となるデジタルデータの検出により放送開始タイミングを検出し、デジタルデータを含まない場合はリアルタイム情報の送出の目安となる音声情報の検出により放送開始タイミングを検出するように構成することもできる。
【００１９】
上記構成によって、デジタルデータを含む放送プログラムや、従来は自動的に検出して聴取することが難しかった、アナログ音声データのみでデジタルデータを含まない放送プログラムのいずれにおいても、放送開始タイミングを検出でき、例えばリアルタイム情報を含む所望の放送プログラムを聴取することが可能となる。
【００２０】
また、本発明の移動体用放送受信装置における放送開始タイミング検出手段は、アナログ音声信号を音声情報として認識するための音声認識手段と、音声認識手段で認識された音声情報が、予め設定されたリアルタイム情報の送出の開始の目安となる音声情報に該当するかどうかを判定する音声情報合致判定手段とを含み、目安となる音声情報に該当する場合は放送開始タイミングを検出するように構成することもできる。
【００２１】
音声認識技術は周知のもので家電分野においても幅広く応用されている。上記構成によって、アナログ音声データのみでデジタルデータを含まない放送プログラムにおいても、例えば「ニュース」，「天気予報」，「交通情報」をリアルタイム情報の送出の開始の目安となる音声情報として設定すれば、放送開始タイミングを検出でき、これらリアルタイム情報を含む所望の放送プログラムを聴取することが可能となる。
【００２２】
また、本発明の移動体用放送受信装置は、ユーザの操作により、放送プログラムにおけるリアルタイム情報の送出中に、予め定められた時間だけ遡った時点からの放送プログラムの放送の録音内容を、放送プログラムの放送の録音を継続しながら再生させる再生指示手段を備えるように構成することもできる。
【００２３】
上記構成によって、ユーザの希望するジャンルの放送に切り替わるタイミングが、本来の放送とそれに重畳されたデジタルデータとでずれた場合、あるいは、アナログ音声データのみでデジタルデータを含まない放送プログラムにおいてリアルタイム情報の送出の開始の目安となる音声情報を検出した時点よりも前に放送が開始されていた場合でも、リアルタイム情報を聴取することが可能となる。
【００２４】
また、本発明の移動体用放送受信装置は、放送プログラムがリアルタイム情報の送出を終了した放送終了タイミングを検出する放送終了タイミング検出手段を備えるように構成することもできる。
【００２５】
例えば、リアルタイム情報を含む放送プログラムでは、必ずしも放送プログラムの終了までリアルタイム情報が含まれるわけではない（大抵の場合はコマーシャルメッセージが流れる）。上記構成によって、例えば、リアルタイム情報を含む放送プログラムを聴取する前に別の放送プログラムを聴取していた場合、少しでも早くその別の放送プログラムに戻すことが可能となり、リアルタイム情報を含む放送プログラムを聴取するためにその別の放送プログラムを中断された乗員の不満を低減することもできる。
【００２６】
また、本発明の移動体用放送受信装置における放送終了タイミング検出手段は、放送プログラムがその送信データとしてアナログ音声データとこれに並行するデジタルデータを含む場合に、リアルタイム情報の送出の終了の目安となるデジタルデータを検出することにより放送終了タイミングを検出するように構成することもできる。
【００２７】
上記構成によって、放送終了タイミングを検出することが可能となる。
【００２８】
また、本発明の移動体用放送受信装置における放送終了タイミング検出手段は、放送プログラムがその送信データとしてアナログ音声データを含む場合に、アナログ音声データに含まれるリアルタイム情報の送出の終了の目安となるアナログ音声信号に基づく音声情報を検出することにより放送終了タイミングを検出するように構成することもできる。
【００２９】
上記構成によって、従来は自動的に検出することが難しかった、アナログ音声データのみでデジタルデータを含まない放送プログラムにおいても、放送終了タイミングを検出することが可能となる。
【００３０】
また、本発明の移動体用放送受信装置における放送終了タイミング検出手段は、放送プログラムがその送信データとしてアナログ音声データと並行するデジタルデータを含むかどうかを判断するデジタルデータ検出手段と、デジタルデータが存在しない場合はアナログ音声データに含まれるリアルタイム情報の送出の終了の目安となるアナログ音声信号に基づく音声情報を検出する音声情報検出手段とを含み、デジタルデータが検出される場合はリアルタイム情報の送出の終了の目安となるデジタルデータの検出により放送終了タイミングを検出し、デジタルデータが存在しない場合はリアルタイム情報の送出の終了の目安となる音声情報の検出により放送終了タイミングを検出するように構成することもできる。
【００３１】
上記構成によって、デジタルデータを含む放送プログラムや、従来は自動的に検出して聴取することが難しかった、アナログ音声データのみでデジタルデータを含まない放送プログラムのいずれにおいても、放送終了タイミングを検出することが可能となる。
【００３２】
また、本発明の移動体用放送受信装置における放送終了タイミング検出手段は、アナログ音声信号を音声情報として認識するための音声認識手段と、音声認識手段で認識された音声情報が、予め設定されたリアルタイム情報の送出の終了の目安となる音声情報に該当するかどうかを判定する音声情報合致判定手段とを含み、目安となる音声情報に該当する場合は放送終了タイミングを検出するように構成することもできる。
【００３３】
音声認識技術は周知のもので家電分野においても幅広く応用されている。上記構成によって、アナログ音声データのみでデジタルデータを含まない放送プログラムにおいても、放送プログラムの終了の目安となる音声情報を設定すれば、放送終了タイミングを検出できる。
【００３４】
また、本発明の移動体用放送受信装置は、チューナを有するラジオ受信機と、オーディオプレーヤと、それらラジオ受信機とオーディオプレーヤの音源を切り替える音源切替手段とを備え、放送開始タイミング検出手段が放送開始タイミングを検出すると、音源切替手段が、音源をラジオ受信機に切り替えるように構成することもできる。
【００３５】
上記構成によって、オーディオプレーヤで例えば音楽を聴いていた場合でも、ユーザの操作を必要とすることなく音源がラジオ受信機に切り替えられ、リアルタイム情報を含む所望の放送プログラムを聴取することが可能となる。
【００３６】
また、本発明の移動体用放送受信装置は、チューナを有するラジオ受信機と、オーディオプレーヤと、それらラジオ受信機とオーディオプレーヤの音源を切り替える音源切替手段とを備え、放送終了タイミング検出手段がリアルタイム情報の送出の終了を検出すると、音源切替手段が、音源をオーディオプレーヤに切り替えるように構成することもできる。
【００３７】
上記構成によって、オーディオプレーヤで例えば音楽を聴いていて、ラジオ受信機に切り替えられ、リアルタイム情報を含む所望の放送プログラムを聴取していた場合でも、そのリアルタイム情報の放送終了タイミングを検出すると、ユーザの操作を必要とすることなく音源がオーディオプレーヤ切り替えられる。また、オーディオプレーヤで音楽を聴いている際の中断時間を必要最低限にすることができる。これにより、オーディオプレーヤで音楽を聴きたい乗員の不満も低減できる。
【００３８】
また、本発明の移動体用放送受信装置は、チューナを有するラジオ受信機と、オーディオプレーヤと、それらラジオ受信機とオーディオプレーヤの音源を切り替える音源切替手段と、現在位置および現在時刻を取得するナビゲーション装置とを含み、車両の現在位置および現在時刻において聴取可能な放送プログラムのなかから指定された放送プログラムがラジオ受信機で受信され、放送開始タイミング検出手段が放送開始タイミングを検出すると、音源切替手段が、音源をラジオ受信機に切り替えるように構成することもできる。
【００３９】
上記構成によって、ユーザは走行場所，走行時間帯，および聴取中の音源に関係なく所望の放送プログラムを聴取することができる。また、移動中あるいは移動先の地域の放送プログラム名や放送時間帯が分からない場合でも、キーワード入力により、その地域におけるリアルタイム情報を含む放送プログラムを指定することができる。
【発明を実施するための最良の形態】
【００４０】
以下、本発明の実施の形態を、図面を参照しながら説明する。図１Ａは移動体用放送受信装置１の構成を示すブロック図である。移動体用放送受信装置１は、ラジオ受信機１０、ＣＤプレーヤ１５、ＭＤ（Mini  Disc：ミニディスク）プレーヤ１６、ＨＤＤ（Hard  Disk  Drive，：ハードディスク装置）レコーダ／プレーヤ１７の周知のオーディオ音源とこれらを切り替える音源切替回路１９、その音源の信号を増幅するアンプ２１とそれを出力するスピーカ２０、音声認識回路１８、ナビゲーション装置１３とナビゲーション装置１３に接続されるＧＰＳ受信機１１およびジャイロ１２、ユーザが希望する情報を設定するための入力／表示装置１４、データベース２３、通信回路２４、以上の構成要素を制御するマイコン２２を含んで構成される。
【００４１】
ナビゲーション装置１３は車両の現在位置を検出し電子地図上に示して、設定された目的地までの経路を案内するものである。ＧＰＳ（Global  Positioning  System  全地球測位システム）受信機１１とジャイロ１２は車両の現在位置を検出するためのもので、ＧＰＳ受信機１１は衛星からの電波（ＧＰＳ信号）に基づいて車両の位置を検出し、ジャイロ１２は車両の回転角速度を検出する。これらの他に、車両の走行距離を検出する距離センサやステアリングの回転センサや各転動輪の車輪センサ等を用いてもよい。また、車両の速度を検出する図示しない車速センサから車速信号が入力される。
【００４２】
入力／表示装置１４は、図示しない操作スイッチ群、およびＬＣＤあるいはＬＥＤ等の表示器を含んで構成される。操作スイッチ群は、例えば表示器と一体になったタッチパネルもしくはメカニカルなスイッチが用いられる。タッチパネルは、表示器の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、いわゆる静電容量方式を用いてもよい。マウスやカーソル等のポインティングデバイスを用いてもよい。なお、入力／表示装置１４が本発明の指定手段，入力手段に相当する。
【００４３】
音声認識回路１８は、ラジオ受信機１０から出力される音声信号を周知の隠れマルコフモデル等の音声認識技術により音声認識処理を行い、認識結果をマイコン２２に出力する。図１Ｂに音声認識回路１８の構成の概略を示す。ラジオ受信機１０から出力された音声信号は周知のＤＳＰ（Digital  Signal  Processor：デジタル信号処理装置）等を含んで構成される信号処理回路１８ａに入力され、音声信号が抽出される、そして、比較部１８ｂにおいて、抽出された音声信号と辞書部１８ｃに予め記憶されているキーワードとを比較し、キーワードが音声信号に含まれるかを調べる。キーワードが音声信号に含まれる場合は、マイコン２２に通知する。なお、キーワードは、データベース２３のキーワード記憶領域２３ａ（後述）に記憶されているものを参照する構成でもよい。なお、音声認識回路１８が本発明の音声認識手段，音声情報合致判定手段に相当する。
【００４４】
音源切替回路１９は周知のアナログスイッチ等の信号切替回路を含み、上述のようにオーディオ音源のうちユーザが入力／表示装置１４により選択したものをアンプ２１を経由してスピーカ２０へ出力する。なお、音源切替回路１９が本発明の音源切替手段に相当する。
【００４５】
マイコン２２は周知のＣＰＵ２２ａ，ＲＯＭ２２ｂ，ＲＡＭ２２ｃ，および図示しない入出力回路を含んで構成される。ＣＰＵ２２ａは、ＲＯＭ２２ｂに記憶された制御プログラム２２ｐおよびデータにより制御を行う。なお、マイコン２２が本発明の位置取得手段，時刻取得手段，検索手段，情報取得手段，放送開始タイミング検出手段，デジタルデータ検出手段，音声情報検出手段，放送終了タイミング検出手段に相当する。
【００４６】
データベース２３はＨＤＤ、あるいはＥＥＰＲＯＭ（Electrically  Erasable  ＆  Programmable  Read  Only  Memory：電気的消去・プログラム可能・読出し専用メモリ）やフラッシュメモリ等の書き換え可能なデバイスによって構成される。図１Ｃにデータベース２３の構成の概略を示す。データベース２３は、キーワード記憶領域２３ａ，リアルタイム放送番組記憶領域２３ｂ，記録開始予約キュー２３ｃ，および音源記憶領域２３ｄを含んで構成される。これら各領域の詳細については後述する。
【００４７】
通信回路２４は、ＥＰＧ（Electronic  Program  Guide：電子番組ガイド）サーバ１０４あるいはＷＷＷ（World  Wide  Web）サーバ１０５（ともに図６参照）とのデータの送受信を行うための、周知の無線通信機の構成と同様である送信部，受信部およびアンテナ（いずれも図示せず）を含んで構成される。また、通信回路２４は、インターネット経由で電子番組情報のダウンロードが可能ないわゆるＩＥＰＧに対応した機能（例：ビデオキャプチャ機能など）を備えていてもよい。
【００４８】
図２に制御プログラム２２ｐのメインフローを示す。制御プログラム２２ｐではリアルタイム情報設定処理（Ｓ１，後述），リアルタイム情報受信処理（Ｓ２，後述），およびその他の処理（Ｓ３）が繰り返し実行される。また、リアルタイム情報設定処理（Ｓ１）とリアルタイム情報受信処理（Ｓ２）とは、並行して処理を行う構成としてもよい。
【００４９】
図３を用いて、図２のステップＳ１に相当するリアルタイム情報設定処理について説明する。以下の説明では、放送プログラムを番組と称している。まず、ナビゲーション装置１３から車両の現在位置および現在時刻を取得する（Ｓ１１）。なお、現在時刻はＧＰＳ受信機１１で受信した衛星からのＧＰＳ信号に含まれているものを使用する。次いで、リアルタイム放送番組記憶領域２３ｂを参照するためのポインタｎを１とする（ｎの初期化：Ｓ１２）。
【００５０】
図４にリアルタイム放送番組記憶領域２３ｂの一例を示す。リアルタイム放送番組記憶領域２３ｂにはリアルタイム情報を放送する放送局に関する情報（リアルタイム放送番組データ）が含まれており、具体的には、「ニュース」「天気予報」「交通情報」などの情報種別（番組名でもよい），放送局，その放送局の受信エリア，（周波数）バンド，周波数，放送日，放送時間等が含まれる。
【００５１】
これらリアルタイム放送番組記憶領域２３ｂの内容については、ユーザが入力／表示装置１４を用いて、図示しない設定メニューにしたがって設定することが可能である。また、図６のように、ネットワークを介してリアルタイム放送番組データを取得してもよい。車両１０１（移動体用放送受信装置１）は中継局１０２，インターネット１０３等の通信網（他の公衆回線でもよい）を介してＥＰＧサーバ１０４あるいはＷＷＷサーバ１０５と通信可能に接続されている。また、中継局１０２との通信は通信回路２４により行なわれる。
【００５２】
ＥＰＧサーバ１０４は、いわゆるＷＷＷサーバで、その内部に構築されているＥＰＧデータベースに、番組情報として各番組に固有の番組識別子，番組名，放送日時（開始時刻および終了時刻を含む），撮影場所，撮影場所の緯度・経度，撮影場所の住所や電話番号等を含めることができる。
【００５３】
ＷＷＷサーバ１０５は、例えばテレビ放送局あるいはラジオ放送局のホームページを含むサーバで、各放送局の番組表が含まれている。ホームページは、ＨＴＭＬ（Hyper  Text  Markup  Language：ハイパーテキスト・マークアップ言語）あるいはＸＭＬ（Extensible  Markup  Language：拡張マークアップ言語）等の言語を用いて作成されているため、周知のテキストエディタあるいはＨＴＭＬエディタ等のツール上でキーワード検索を行うことで番組名，放送日時を示す文字データ（番組情報）を抽出することができる。
【００５４】
キーワードはデータベース２３のキーワード記憶領域２３ａに記憶され、例えば、「ニュース」，「天気予報」，「交通情報」等が記憶されている。ユーザの入力／表示装置１４の操作によって、キーワードの追加あるいは削除を行う構成としてもよい。このキーワード記憶領域２３ａの内容を音声認識回路の辞書部１８ｃへ転送して、音声認識の際のキーワードに用いてもよい。
【００５５】
上記で取得した番組情報からリアルタイム情報を放送する番組を抽出してリアルタイム放送番組データとしてデータベース２３のリアルタイム放送番組記憶領域２３ｂに格納する。なお、この処理は、図１のメイン処理におけるその他の処理（Ｓ３）に含まれる。
【００５６】
図３に戻り、リアルタイム放送番組記憶領域２３ｂの先頭（ｎ＝１）からリアルタイム放送番組データをＲＡＭ２２ｃに取得し（Ｓ１３）、そのデータに含まれる受信エリアに車両の現在位置が含まれているか、すなわち車両の現在位置においてその放送局が受信可能であるか調べる。受信可能でない場合（Ｓ１４：ＮＯ）は、ポインタｎを更新（インクリメント）し（Ｓ２０）、ポインタｎがデータベース２３に含まれるリアルタイム放送番組データの総数Ｎを超えない場合（Ｓ２１：ＮＯ）は、ステップＳ１３に戻り次のリアルタイム放送番組データを取得する。
【００５７】
一方、受信可能である場合（Ｓ１４：ＹＥＳ）、そのリアルタイム放送番組データに含まれる情報種別（番組名）の放送時間を調べ、上記で取得した現在時刻と比較して、予め設定されてデータベース２３に記憶される例えば１０分のような所定の時間内に開始されるかどうかを調べ、所定の時間内に開始されない場合（Ｓ１５：ＮＯ）は上述のステップＳ２０以降の処理を行う。
【００５８】
一方、所定の時間内に開始される場合（Ｓ１５：ＹＥＳ）、その番組の放送局の周波数と放送時間、および番組名等を、データベース２３に領域が確保される記録開始予約キュー２３ｃに記憶する（Ｓ１６，Ｓ１７）。図５に記録開始予約キュー２３ｃの一例を示す、
【００５９】
そして、上記の処理を、リアルタイム放送番組記憶領域２３ｂの最後のデータまで実行する（Ｓ１８，Ｓ１９）。
【００６０】
図７を用いて、記録開始予約キューに記憶された番組の送出処理である、図２のステップＳ３に相当するリアルタイム情報受信処理について説明する。まず、ナビゲーション装置１３から現在時刻を取得する（Ｓ３１）。次いで、記録開始予約キュー（図５参照）を参照し、例えば１分後のような、所定の時間後にリアルタイム情報を放送する番組があるかを調べる（Ｓ３２）。このとき、ＡＮＤ条件として、ナビゲーション装置１３から車両の現在位置を取得して、車両の現在位置が当該番組を放送する放送局の受信エリアに含まれるかも調べてもよい。
【００６１】
所定の時間後にリアルタイム情報を放送する番組がある場合（Ｓ３３：ＹＥＳ）、マイコン２２からラジオ受信機１０に指令を送り、電源がオフ状態の場合は電源をオン状態として記録開始予約キュー２３ｃに記憶されている放送局の周波数をセットする。次いで、マイコン２２からその番組の録音を開始するようＨＤＤレコーダ／プレーヤ１７に指令を送る（Ｓ３４）。
【００６２】
そして、リアルタイム情報が放送された場合に音源をラジオ受信機１０に切り替える音源切替処理を実行する（Ｓ３５：後述）。このとき、データベース２３の音源記憶領域２３ｄにラジオ受信機１０に切り替える前の音源を記憶しておく。
【００６３】
図８を用いて、図７のステップＳ３５に相当する音源切替処理について説明する。まず、受信している番組がアナログ放送かデジタル放送かを確認する（Ｓ５１）。録音中の内容を参照してもよい。デジタル放送の場合（Ｓ５２：ＹＥＳ）、放送プログラムのジャンルを表す配信データにリアルタイム情報を放送している旨のデジタルデータが含まれる場合（Ｓ５３：ＹＥＳ）、これを放送開始タイミングとして検出し、マイコン２２から音源切替回路１９に指令を送り、スピーカ２０へ送出する音源をラジオ受信機１０に切り替える（Ｓ５４）。このとき、データベース２３の音源記憶領域２３ｄにラジオ受信機１０に切り替える前の音源を記憶しておく。
【００６４】
そして、配信データにリアルタイム情報の放送が終了した旨の内容が含まれる場合（Ｓ５５：ＮＯ）、次のステップＳ５６に移行する（後述）。
【００６５】
一方、受信している番組がアナログ放送の場合（Ｓ５２：ＮＯ）、ラジオ受信機１０のアナログ音声データを音声認識回路１８に取り込み、放送内容にリアルタイム情報の開始を示す開始キーワードが含まれているかを調べる。また、リアルタイム情報の開始を示すＢＧＭ（Back  Ground  Music：バックグラウンド・ミュージック）を検出してもよい。このＢＧＭは予め音声認識回路１８の辞書部１８ｃに記憶されている。
【００６６】
開始キーワードが検出された場合（Ｓ６０：ＹＥＳ）、これを放送開始タイミングとして検出し、マイコン２２から音源切替回路１９に指令を送り、スピーカ２０へ送出する音源をラジオ受信機１０に切り替える（Ｓ６１）。このとき、データベース２３の音源記憶領域２３ｄにラジオ受信機１０に切り替える前の音源を記憶しておく。
【００６７】
そして、受信している番組がデジタル放送の場合は放送プログラムのジャンルを表す配信データにリアルタイム情報を終了する旨のデジタルデータが含まれる場合（Ｓ５５：ＮＯ）、また、受信している番組がアナログ放送の場合は音声認識回路１８で放送内容にリアルタイム情報の終了を示す終了キーワードが含まれることを検出された場合（Ｓ６２：ＹＥＳ）、これを放送終了タイミングとして検出し、次のステップＳ５６に移行する（後述）。
【００６８】
なお、終了キーワードは、たとえば、「・・・お伝えしました」，「・・・でした」，「・・・お送りしました」等が挙げられ、データベース２３のキーワード記憶領域２３ａあるいは音声認識回路１８の辞書部１８ｃに記憶されている。また、上記と同様に、リアルタイム情報の終了を示すＢＧＭを検出してもよい。
【００６９】
ステップＳ５６では、マイコン２２からその番組の録音を停止するようＨＤＤレコーダ／プレーヤ１７に指令を送る。そして、データベース２３の音源記憶領域２３ｄを参照し、マイコン２２から音源切替回路１９に指令を送り、スピーカ２０へ送出する音源をリアルタイム情報送出前の状態に戻す（Ｓ５７）。このとき、音源記憶領域２３ｄの内容をクリアしておく。
【００７０】
配信データの内容あるいは音声認識回路１８によるリアルタイム情報の放送の判別に時間がかかる場合には、その内容の頭切れを起こす場合があるが、番組の開始からＨＤＤレコーダ／プレーヤ１７で録音されているので、リアルタイム情報の放送時間内でも、番組を録音しながらＨＤＤレコーダ／プレーヤ１７の録音内容を再生することが可能である。すなわち、入力／表示装置１４の操作スイッチ群に含まれる図示しない確認ボタンを押下すると（Ｓ５８：ＹＥＳ）、番組の最初から、あるいは例えば３０秒のような音源がラジオ受信機１０に切り替わった時点から所定の時間遡った時点から再生を開始する（Ｓ５９）。この場合、再生中でも番組の録音は継続される。
【００７１】
また、リアルタイム情報を繰り返し聞きたい場合も、音源がラジオ受信機１０に切り替わった時点から録音が停止するまでの放送内容（リアルタイム情報）を繰り返し聞くことができるようにしてもよい。音源がラジオ受信機１０に切り替わった時点は録音内容に頭出し等に使用する周知のマーキング，チャプタデータ埋め込み等の技術を用いる。
【００７２】
また、ラジオ受信機１０でチューナが複数含まれている場合は、複数のリアルタイム情報を含む番組の録音が可能である。例えば図９のようにラジオ受信機１０が２つのチューナ１０ａ，１０ｂを含む場合、これらのチューナで受信された番組（アナログ信号）は、それぞれＨＤＤレコーダ／プレーヤ１７に含まれる周知のＡ／Ｄ変換器であるＡ／Ｄ１７ａ，Ａ／Ｄ１７ｃに入力されデジタル信号に変換される。変換されたデジタル信号は、それぞれメモリの一種であるバッファ１７ｂ，１７ｄに一時的に蓄えられ、所定のタイミングで切り替えられる切替回路１７ｅの状態にしたがってＨＤＤ１７ｆに記憶（録音）される。
【００７３】
よって、リアルタイム情報を含む番組を聴取中に別のリアルタイム情報を含む番組の録音が設定されてその録音中にリアルタイム情報を検出した場合（Ｓ６３：ＹＥＳ）、入力／表示装置１４の図示しない表示器に、例えば図１０のような重複放送がある旨が表示される（Ｓ６４）。そして、ユーザが「聞く」ボタンを押下すると（Ｓ６５：ＹＥＳ）、重複している放送の再生が行われる（Ｓ６６）。図１０の例で、現在聞いている天気予報から交通情報に音源が切り替えられた場合、天気予報の録音は継続されるので、交通情報を聞き終えてから、天気予報の聞けなかった部分を、ＨＤＤレコーダ／プレーヤ１７の録音内容を再生して聞くことができる。無論、交通情報も録音されている。
【００７４】
音声認識回路１８の音声認識機能を有効に動作させるために、音声認識回路１８に音楽情報と音声情報とを分離する回路を含めてもよい。分離する方法としては以下のようなものがある。
（１）会話の音声は２０Ｈｚ〜４ＫＨｚ程度までの間に大半の情報が含まれているので、モノラル放送の場合は、フィルタでこの帯域以外の信号をカットして音声情報を抽出する。
（２）ステレオ放送の場合は、音声信号は中央に定位した左右同レベルの信号であるので、左右同レベルの信号を抽出して音声情報とする。
（３）二ヶ国語放送の場合は、主音声の信号を抽出して音声情報とする。
【００７５】
また、上記とは別の方法として、図１１のように放送局から送信される放送フォーマット（電波信号）をヘッダ（番組情報を示す），左右等の音声の位置を示す音場情報，音楽情報（ＢＧＭ），ナレーション等、のように分離したデータ構成とし、それをラジオ受信機１０で合成してスピーカ２０から送出するようにしてもよい。この場合、音声認識回路１８へは合成される前の音声情報のみが送られ、リアルタイム情報の判別を容易に行うことができる。
【００７６】
ラジオ１０受信機の代わりにテレビ受像機を用いてもよい。
【００７７】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００７８】
【図１Ａ】移動体用放送受信装置の構成を示すブロック図。
【図１Ｂ】音声認識回路の構成を示すブロック図。
【図１Ｃ】データベースの構成を示すブロック図。
【図２】制御プログラムのメインフローを示す図。
【図３】リアルタイム情報設定処理を説明するフロー図。
【図４】データベースの一例を示す図。
【図５】記録開始予約キューの一例を示す図。
【図６】番組情報取得構成の一例を示す図。
【図７】リアルタイム情報受信処理を説明するフロー図
【図８】音源切替処理を説明するフロー図
【図９】ラジオ受信機およびＨＤＤレコーダ／プレーヤの構成例を示す図。
【図１０】重複放送がある場合の画面表示例を示す図。
【図１１】放送フォーマットの一例を示す図。
【符号の説明】
【００７９】
１    移動体用放送受信装置
１０    ラジオ受信機
１１    ＧＰＳ受信機
１２    ジャイロ
１３    ナビゲーション装置
１４    入力／表示装置（指定手段，入力手段）
１７    ＨＤＤレコーダ／プレーヤ
１８    音声認識回路（音声認識手段，音声情報合致判定手段）
１９    音源切替回路（音源切替手段）
２０    スピーカ
２２    マイコン（位置取得手段，時刻取得手段，検索手段，情報取得手段，放送開始タイミング検出手段，デジタルデータ検出手段，音声情報検出手段，放送終了タイミング検出手段）
２３    データベース
【図１Ａ】
0004662208.tif 000002
【図１Ｂ】
0004662208.tif 000003
【図１Ｃ】
0004662208.tif 000004
【図２】
0004662208.tif 000005
【図３】
0004662208.tif 000006
【図４】
0004662208.tif 000007
【図５】
0004662208.tif 000008
【図６】
0004662208.tif 000009
【図７】
0004662208.tif 000010
【図８】
0004662208.tif 000011
【図９】
0004662208.tif 000012
【図１０】
0004662208.tif 000013
【図１１】
0004662208.tif 000014